(57)【要約】      （修正有）【課題】室外機と室内機とから構成され、広い範囲への空調を行うためのワイドタイプの室内機を的確に載置できる空調機用移動式架台を提供する。【解決手段】空調機用移動式架台１は、キャスタ付き台車部１０の前側に室内機Ｂを載置する前部ラック２０を取り付け、室内機Ａは後部に固定した室外機用スペーサ７ａ、７ｂに載置する。キャスタ付き台車部及び前部ラックを構成する鋼製角パイプ等は、同一断面の鋼製の正方形パイプを適宜長さに切断したものを使用する。ベース枠は、四隅に鋼製プレート、内部にＨ字状の開口内補強部材を備える。前部ラックは、ベース枠と同一幅で左右の鋼製角パイプ２ｂ、２ｄの上に重ね合わせ、ベース枠の鋼製角パイプと横連結用鋼製角パイプを内側に取り込む様に設置する。【選択図】図１
0003224535.tif 000002
【実用新案登録請求の範囲】
【請求項１】
室外機と室内機とから構成される空調ユニットを載置する架台であって、以下の構成を備えることを特徴とする空調機用移動式架台。
（１Ａ）前部に室内機を載置し、後部に室外機を載置するキャスタ付き台車部を備えていること。
（１Ｂ）前記キャスタ付き台車部は、４本の鋼製角パイプを上面が面一の平坦面となる様に矩形に組んだベース枠を備えていること。
（１Ｃ）前記ベース枠の四隅において隣り合う角パイプ同士の底面側に一部枠内にはみ出す様に取り付けた鋼製プレートを備えていること。
（１Ｄ）前記ベース枠において縦方向に配置された鋼製角パイプを中央付近で横方向に連結する複数本の横連結用鋼製角パイプとこれら複数本の連結用鋼製角パイプ同士を中央付近で縦方向に連結する縦連結用鋼製角パイプとを、それぞれの上面が前記ベース枠と一致した平坦面となる様に備えていること。
（１Ｅ）前記ベース枠の後ろ側に位置する鋼製角パイプと前記横連結用鋼製角パイプの上面に縦方向に掛け渡す様に、複数本のスペーサ用鋼製角パイプを上面が互いに面一の平坦面となる様に取り付けていること。
（１Ｆ）鋼製角パイプにより構成された下面が面一の平坦面となる矩形の底部枠の四隅に、同じく鋼製角パイプからなる同一長さの４本の支柱を立設すると共に、これら４本の支柱の上端を連結する様に底部枠と同様に鋼製角パイプで構成された矩形の上部枠を上面が面一の平坦面となる様に備えた直方体の箱枠状に形成された前部ラックを、前記ベース枠の前側部分に備えていること。
【請求項２】
さらに、以下の構成をも備えていることを特徴とする請求項１に記載の空調機用移動式架台。
（２Ａ）前記キャスタ付き台車部及び前記前部ラックの各部を構成する鋼製角パイプが、同一断面の鋼製の正方形パイプによって構成されていること。
（２Ｂ）前記前部ラックは、その幅が前記ベース枠と同一であって、その底部枠の左右の鋼製角パイプが前記ベース枠の左右の鋼製角パイプの上に重ね合わされる様に前記ベース枠に対して固定されていること。
【請求項３】
さらに、以下の構成をも備えていることを特徴とする請求項１又は２に記載の空調機用移動式架台。
（３Ａ）前記前部ラックは、その前後の鋼製角パイプの間隔が前記ベース枠の前側の鋼製角パイプと前側の横連結用鋼製角パイプの間隔よりも広く構成されると共に、左右それぞれにおいて、前後の支柱の高さ方向中程に補強用の鋼製角パイプが水平に取り付けられていること。
（３Ｂ）前記前部ラックの底部枠は、後ろ側の鋼製角パイプが前記ベース枠の前側の横連結用鋼製角パイプの後方に位置し、前側の鋼製角パイプが前記ベース枠の前側の鋼製角パイプよりも前方に飛び出す様に、前記ベース枠に対して固定されていること。
【考案の詳細な説明】
【技術分野】
【０００１】
本考案は、空調機用の移動式架台に関する。
【背景技術】
【０００２】
従来より、工場等において移動式架台に載置した局所冷房機を用いた局所冷房が実施されている（例えば、特許文献１，２）。
【０００３】
特許文献１，２のものは、手押しワゴン状の架台に空調機本体を載置し、キャスターにより工場内での移動を可能にしたものであった。
【先行技術文献】
【特許文献】
【０００４】
【特許文献１】実公昭６３−４５６２０号公報（第１図）
【特許文献２】実開平２−１０６５２１号公報（図１）
【考案の概要】
【考案が解決しようとする課題】
【０００５】
ところで、近年は、冷房に限らず、暖房や除湿等も可能な様に、室外機ユニットと室内機ユニットとから構成される空調機が局所空調にも用いられる様になってきた。このため、従来のパイプや形鋼を手押しワゴン状に組み立てた架台では対応できないという問題がある。
【０００６】
そこで、本考案は、室外機と室内機とから構成される空調ユニットを的確に載置することができる空調機用移動式架台を提供することを目的とし、特に広い範囲への空調を行うためのワイドタイプの室内機を設置可能とすることをも目的とする。
【課題を解決するための手段】
【０００７】
上記目的を達成するためになされた本考案の空調機用移動式架台は、室外機と室内機とから構成される空調ユニットを載置する架台であって、以下の構成を備えることを特徴とする。
（１Ａ）前部に室内機を載置し、後部に室外機を載置するキャスタ付き台車部を備えていること。
（１Ｂ）前記キャスタ付き台車部は、４本の鋼製角パイプを上面が面一の平坦面となる様に矩形に組んだベース枠を備えていること。
（１Ｃ）前記ベース枠の四隅において隣り合う角パイプ同士の底面側に一部枠内にはみ出す様に取り付けた鋼製プレートを備えていること。
（１Ｄ）前記ベース枠において縦方向に配置された鋼製角パイプを中央付近で横方向に連結する複数本の横連結用鋼製角パイプとこれら複数本の連結用鋼製角パイプ同士を中央付近で縦方向に連結する縦連結用鋼製角パイプとを、それぞれの上面が前記ベース枠と一致した平坦面となる様に備えていること。
（１Ｅ）前記ベース枠の後ろ側に位置する鋼製角パイプと前記横連結用鋼製角パイプの上面に縦方向に掛け渡す様に、複数本のスペーサ用鋼製角パイプを上面が互いに面一の平坦面となる様に取り付けていること。
（１Ｆ）鋼製角パイプにより構成された下面が面一の平坦面となる矩形の底部枠の四隅に、同じく鋼製角パイプからなる同一長さの４本の支柱を立設すると共に、これら４本の支柱の上端を連結する様に底部枠と同様に鋼製角パイプで構成された矩形の上部枠を上面が面一の平坦面となる様に備えた直方体の箱枠状に形成された前部ラックを、前記ベース枠の前側部分に備えていること。
【０００８】
本考案の空調機用移動式架台によれば、鋼製角パイプを矩形に組んだベース枠の四隅において隣り合う角パイプ同士の底面側に一部枠内にはみ出す様に取り付けた鋼製プレートを備え、ベース枠において縦方向に配置された鋼製角パイプを中央付近で横方向に連結する複数本の横連結用鋼製角パイプとこれら複数本の連結用鋼製角パイプ同士を中央付近で縦方向に連結する縦連結用鋼製角パイプとを備えることにより、ベース枠全体としての剛性を高めている。また、ベース枠の上面、横連結用鋼製角パイプ及び縦連結用鋼製角パイプは上面が面一の平坦面となり、ベース枠の後ろ側に位置する鋼製角パイプと横連結用鋼製角パイプの上面に縦方向に掛け渡す様に備えた複数本のスペーサ用鋼製角パイプの上面も平坦面となるから、空調機ユニットの室外機を架台の後方位置に的確に設置することができる。また、ベース枠の上面、前部ラックの下面及び上面は、それぞれ面一の平坦面となるから、前部ラックの上部枠の上に水平に空調機ユニットの室内機を設置することができ、高い位置からの安定した送風が可能となる。
【０００９】
本考案の空調機用移動式架台は、さらに、以下の構成をも備えることができる。
（２Ａ）前記キャスタ付き台車部及び前記前部ラックの各部を構成する鋼製角パイプが、同一断面の鋼製の正方形パイプによって構成されていること。
（２Ｂ）前記前部ラックは、その幅が前記ベース枠と同一であって、その底部枠の左右の鋼製角パイプが前記ベース枠の左右の鋼製角パイプの上に重ね合わされる様に前記ベース枠に対して固定されていること。
【００１０】
キャスタ付き台車部及び前部ラックを構成する各鋼製角パイプを同一断面の鋼製の正方形パイプで構成し、前部ラックの幅をベース枠の幅と同一に構成し、既に述べた通り、ベース枠の上面及び前部ラックの下面はそれぞれ面一の平坦面としたので、前部ラックを、ベース枠の左右の鋼製角パイプの上にしっかりと重ね合わせる様にして固定することが可能となる。また、この前部ラックはキャスタ付き台車部のベース枠の幅と同一幅を有するから、幅の広いワイドタイプの室内機を安定した状態に設置することができる。この結果、高い位置から幅広く送風することが可能となり、広いスペースに対する空調を的確に実施することができる。
【００１１】
本考案の空調機用移動式架台は、さらに、以下の構成をも備えることができる。
（３Ａ）前記前部ラックは、その前後の鋼製角パイプの間隔が前記ベース枠の前側の鋼製角パイプと前側の横連結用鋼製角パイプの間隔よりも広く構成されると共に、左右それぞれにおいて、前後の支柱の高さ方向中程に補強用の鋼製角パイプが水平に取り付けられていること。
（３Ｂ）前記前部ラックの底部枠は、後ろ側の鋼製角パイプが前記ベース枠の前側の横連結用鋼製角パイプの後方に位置し、前側の鋼製角パイプが前記ベース枠の前側の鋼製角パイプよりも前方に飛び出す様に、前記ベース枠に対して固定されていること。
【００１２】
かかる構成を採用することにより、ベース枠の前側の鋼製角パイプ及び前側の横連結用鋼製角パイプを、前部ラックが構成する箱枠状の部分の構造の一部として取り込むことができ幅方向の強度を高めると共に、前後の支柱間の高さ方向中程に水平に取り付けた補強用の鋼製角パイプによって前後方向の強度も向上されている。この結果、例えば、前部ラックの幅よりも広い大型の室内機を左右にはみ出させた状態で的確に支えることも可能となり、より広範囲への空調を的確に実施することが可能となる。
【考案の効果】
【００１３】
本考案によれば、室外機と室内機とから構成される空調ユニットを的確に載置することができ、特に広い範囲への空調を行うためのワイドタイプの室内機を設置可能となる。
【図面の簡単な説明】
【００１４】
【図１】実施例１の空調機用移動式架台に空調機ユニットを載置した状態を示し、（Ａ）は正面図、（Ｂ）は平面図、（Ｃ）は左側面図、（Ｄ）は右側面図である。
【図２】実施例１の空調機用移動式架台のキャスタ付き台車の正面図、平面図、底面図、左側面図、及び要部拡大図である。
【図３】実施例１の空調機用移動式架台のベース枠について、図２の正面図及び平面図に記入した切断線で切断した部材断面図である。
【図４】実施例１の空調機用移動式架台を示し、（Ａ）は正面図、（Ｂ）は背面図、（Ｃ）は平面図、（Ｄ）は左側面図、（Ｅ）は右側面図である。
【考案を実施するための形態】
【００１５】
以下に、本考案を実施するための形態を実施例に基づいて説明する。
【実施例１】
【００１６】
実施例１の空調機用移動式架台１は、図１に示す様に、後部に空調ユニットにおける室外機Ａを、前部に空調ユニットにおける室内機Ｂを載置するためのものである。本実施例において前部に載置する室内機Ｂは広い範囲に対する空調が可能となる様に多数個の送風口（本実施例では４個）を備えたワイドタイプのものである。また、高い位置から広い範囲に対する空調を行うため、空調機用移動式架台１は、キャスタ付き台車部１０の前部に室内機載置用の背の高いラック２０を取り付けたものとなっている。なお、室内機Ａは、キャスタ付き台車部１０の後部に固定した室外機用スペーサ７ａ，７ｂに載置する。ワイドタイプの室内機Ｂは、ラック２０の上面に対して中心を一致させ、左右に同じだけはみ出させる様にして載置する。
【００１７】
キャスタ付き台車部１０は、図２に示す様に、鋼製角パイプ２ａ〜２ｄを矩形に組んだベース枠２と、ベース枠２の四隅において隣り合う角パイプ２ａ−２ｂ，２ｂ−２ｃ，２ｃ−２ｄ，２ｄ−２ａ同士の底面側に一部枠内にはみ出す様に取り付けた鋼製プレート３ａ〜３ｄと、鋼製プレート３ａ〜３ｄのそれぞれの底面側に取り付けたキャスタ４ａ〜４ｄとを備えている。また、縦方向に配置された鋼製角パイプ２ｂ，２ｄを中央付近で横方向に連結する２本の横連結用鋼製角パイプ５ａ，５ｂと、これら２本の横連結用鋼製角パイプ５ａ，５ｂ同士を中央付近で縦方向に連結する縦連結用鋼製角パイプ６とにより、Ｈ字状の開口内補強部材を備える。さらに、ベース枠２の後ろ側に位置する鋼製角パイプ２ｃと横連結用鋼製角パイプ５ｂの上面に縦方向に掛け渡す様に、２本のスペーサ用鋼製角パイプ７ａ，７ｂが取り付けられている。
【００１８】
本実施例では、図３に示す様に、鋼製角パイプ２ａ〜２ｄ，５ａ，５ｂ，６として、同一断面の鋼製の正方形パイプを適宜長さに切断したものを高さ方向面一の平坦面となる様に用いている。また、スペーサ用鋼製角パイプ７ａ，７ｂとしても、鋼製角パイプ２ａ等と同一断面の鋼製の正方形パイプを適宜長さに切断したものを用いている。この結果、スペーサ用鋼製角パイプ７ａ，７ｂの上面は水平面となり、室外機Ａを安定した状態で載置することができる。
【００１９】
前部ラック２０は、図４に示す様に、鋼製角パイプ２１ａ，２１ｂ，２１ｃ，２１ｄにより構成された矩形の底部枠の四隅に、同じく鋼製角パイプ２２ａ，２２ｂ，２２ｃ，２２ｄからなる同一長さの４本の支柱を立設すると共に、これら４本の支柱の上端を連結する様に底部枠と同様に鋼製角パイプ２３ａ，２３ｂ，２３ｃ，２３ｄで構成された矩形の上部枠を備え、前後の支柱の高さ方向中程に補強用の鋼製角パイプ２４ａ，４２ｂを水平に取り付けた直方体の箱枠状に形成されている。
【００２０】
前部ラック２０に使用する鋼製角パイプパイプ２１ａ〜２１ｄ，２２ａ〜２２ｄ，２３ａ〜２３ｄ，２４ａ，２４ｂは、ベース枠２に使用した鋼製角パイプ２ａ等と同一断面の鋼製の正方形パイプを適宜長さに切断したものを用い、底部枠の下面が面一の平坦面となり、底部枠の下面及び上部枠の上面が、それぞれにおいて面一の平坦面となる様に組み立てている。
【００２１】
前部ラック２０の幅はベース枠２と同一である。一方、前部ラック２０の前後の鋼製角パイプ間の間隔は、ベース枠２の前側の鋼製角パイプ２ａと前側の横連結用鋼製角パイプ５ａの間隔よりも広く構成されている。
【００２２】
そして、前部ラック２０は、その底部枠の後ろ側の鋼製角パイプ２１ｃがベース枠２の前側の横連結用鋼製角パイプ５ａの直後付近に位置し、左右の鋼製パイプ２１ｂ，２１ｄがベース枠２の左右の鋼製パイプ２ｂ，２ｄの上に重なり合う様にして、ベース枠２の上に取り付けられる。このとき、前部ラック２０の前側の鋼製角パイプ２１ａ，２３ａは、ベース枠２の前側の鋼製角パイプ２ａよりも前方に飛び出させてある。この結果、ベース枠２の前側の鋼製角パイプ２ａ及び前側の横連結用鋼製角パイプ５ａを、前部ラック２０が構成する箱枠状の部分の構造の一部に取り込むことができ、幅方向の強度を高めている。また、前後方向の強度についても高さ方向中程に前後の支柱間に水平に取り付けた補強用の鋼製角パイプ２４ａ，２４ｂによって向上されている。
【００２３】
前述の様に、前部ラック２０は底部枠の下面及び上部枠の上面を面一の平坦面としているから、室内機Ｂを水平に載置することができ、ベース枠２の構造部材を強度メンバーに取り込む様に設置しているので、図１に示した様に、前部ラック２０の幅よりも広い大型の室内機Ｂを左右にはみ出させた状態で的確に支えることも可能となり、高い位置から広範囲への空調を的確に実施することが可能となる。
【００２４】
また、鋼製角パイプ２ａ〜２ｄを矩形に組んだベース枠２の四隅において隣り合う角パイプ同士の底面側に一部枠内にはみ出す様に取り付けた鋼製プレート４ａ〜４ｄを備え、ベース枠２において縦方向に配置された鋼製角パイプ２ｂ，２ｄを中央付近で横方向に連結する複数本の横連結用鋼製角パイプ５ａ，５ｂとこれら複数本の連結用鋼製角パイプ同士を中央付近で縦方向に連結する縦連結用鋼製角パイプ６とを備えることにより、ベース枠全体としての剛性を高めている。そして、ベース枠２、横連結用鋼製角パイプ５ａ，５ｂ及び縦連結用鋼製角パイプ６は、上面が面一の平坦面を形成し、ベース枠２の後ろ側に位置する鋼製角パイプ２ｄと横連結用鋼製角パイプ５ｂの上面に縦方向に掛け渡す様に備えた複数本のスペーサ用鋼製角パイプ７ａ，７ｂの上面も平坦面となるから、空調機ユニットの室外機Ａを架台の後方位置に的確に設置することができる。また、ベース枠２の上面、前部ラック２０の下面及び上面は、それぞれ面一の平坦面であるから、前部ラック２０の上部枠の上に水平に空調機ユニットの室内機Ｂを設置することができ、高い位置からの安定した送風が可能となる。
【００２５】
加えて、キャスタ付き台車部１０及び前部ラック２０を構成する各鋼製角パイプを同一断面の鋼製の正方形パイプで構成し、前部ラック２０の幅をベース枠２の幅と同一に構成し、既に述べた通り、ベース枠２の上面及び前部ラック２０の下面はそれぞれ面一の平坦面としたので、前部ラック２０を、ベース枠２の左右の鋼製角パイプの上にしっかりと重ね合わせる様にして固定することが可能となる。また、この前部ラック２０はキャスタ付き台車部１０のベース枠２の幅と同一幅を有するから、幅の広いワイドタイプの室内機Ｂを安定した状態に設置することができる。この結果、高い位置から幅広く送風することが可能となり、広いスペースに対する空調を的確に実施することができる。
【００２６】
以上、本考案の実施例を説明したが、本考案はこれに限定されるものではなく、その要旨を逸脱しない範囲内で種々に実施することができる。
【産業上の利用可能性】
【００２７】
本考案は、工場等の局所空調に利用することができる。
【符号の説明】
【００２８】
１・・・空調機用移動式架台、２・・・ベース枠、２ａ〜２ｄ・・・鋼製角パイプ、３ａ〜３ｄ・・・鋼製プレート、４ａ〜４ｄ・・・キャスタ、５ａ，５ｂ・・・横連結用鋼製角パイプ、６・・・縦連結用鋼製角パイプ、７ａ，７ｂ・・・スペーサ用鋼製角パイプ、１１ａ，１１ｂ・・・スペーサ用鋼製角パイプ、１０・・・キャスタ付き台車部、２０・・・前部ラック、２１ａ〜２１ｄ，２２ａ〜２２ｄ，２３ａ〜２３ｄ，２４ａ，２４ｂ・・・鋼製角パイプ、Ａ・・・室外機、Ｂ・・・室内機。
【図１】
0003224535.tif 000003
【図２】
0003224535.tif 000004
【図３】
0003224535.tif 000005
【図４】
0003224535.tif 000006